(57)【要約】【課題】特に磁性ブロックを取り付けてツールキャビネットの壁に吸着させることができる吸着可能なソケットホルダーを提供する。【解決手段】本発明に係る吸着可能なソケットホルダーは、レールボードと、止め部材と、吸着部材とを有し、その内、該レールボードは、底面に取付レール及び固定レールが形成され、該止め部材は、該取付レールの開口及び固定レールの開口に詰め込まれ、該吸着部材が摺動可能に該レールボードに取り付けられる少なくとも１つの磁性部材を備えることから、この磁性部材により、ツールキャビネットの壁に吸着させることができる。【選択図】図１
2015182150.tif 000002
【特許請求の範囲】
【請求項１】
プレートと、それぞれ間隔をおいて該プレートの上面に設けられる複数の掛止レールと、摺動可能に該掛止レールに嵌め込まれる複数の掛けブロックと、該プレートの底面に設けられ、長手方向に沿って貫通溝が形成され、両端にそれぞれ該貫通溝と連通する開口が形成され、少なくとも１つの取付レールと、該取付レールの両側及びプレートの底面に設けられ、長手方向に沿って貫通溝が形成され、両端にそれぞれ該貫通溝と連通する開口が形成される複数の固定レールとを備えるレールボードと、
着脱可能に前記レールボードに取り付けられると共に、前記取付レールの開口及び固定レールの開口に詰め込まれる複数のストッパーとを含む止め部材と、
前記レールボードに取り付けられると共に、少なくとも１つの磁性部材及び少なくとも２つの位置決め部材を備え、その内、該磁性部材は、摺動可能に前記取付レールに嵌め込まれ、該取付レールの底面と接触しながら摺動可能に該取付レールに嵌め込まれるフレームと、該フレームの底部の相対する両側にぞれぞれ上方へ延設される側壁と、該フレームの底部の他方の相対する両側にそれぞれ長手方向に沿って延設される翼部と、該フレームに側壁と翼部の間に設置される少なくとも１つの磁性ブロックとを備え、また、該少なくとも２つの位置決め部材は、摺動可能に該取付レールに嵌め込まれ、該磁性部材と当接し、該取付レールの両端の開口に嵌め込まれたストッパーと当接するため、磁性部材を取付レールに位置決め、さらに、該各位置決め部材における底部は、前記取付レールの底面と接触すると共に、一端が磁性部材の磁性ブロック及び側壁と当接し、底面に両端を貫通する凹部が形成され、該凹部が磁性部材の翼部に嵌合される吸着部材と、を有することを特徴とする吸着可能なソケットホルダー。
【請求項２】
前記取付レールにおける、上面に貫通溝と連通するスリットが形成され、該スリットの幅（Ｍ）は該取付レールの幅（Ｗ）よりも狭く、
前記磁性部材の側壁が前記取付レールのスリットに嵌合されることを特徴とする請求項１に記載の吸着可能なソケットホルダー。
【請求項３】
前記位置決め部材の凹部の幅（Ｇ）が、磁性部材のフレームの翼部の幅（Ｅ）より広いことを特徴とする請求項２に記載の吸着可能なソケットホルダー。
【請求項４】
前記位置決め部材の上面に凸部が設けられ、該凸部は、前記取付レールのスリットに挿し込まれ、該凸部の幅（Ｐ）は、該スリットの幅（Ｍ）より狭いことを特徴とする請求項３に記載の吸着可能なソケットホルダー。
【請求項５】
前記位置決めブロックは、皿部及び掛止柱体を備え、その内、該皿部は円盤状を呈し、回転可能または摺動可能に掛止レールに嵌め込まれ、該掛止柱体は、中空の長方体であり、壁に形成される２つの長穴と、該２つの長穴の間に設けられる弾性部と、ソケットの内周面と当接するために、該弾性部の内側に凸設される凸部を備えることを特徴とする請求項４に記載の吸着可能なソケットホルダー。
【請求項６】
プレートと、それぞれ間隔をおいて該プレートの上面に設けられる複数の掛止レールと、摺動可能に該掛止レールに嵌め込まれる複数の掛止ブロックと、該プレートの底面に設けられる複数の固定レールとを備えるレールボードと、
複数の固定ブロックと、第一支持部と、第二支持部とを備え、その内、該固定ブロックは、固定穴を有すると共に、摺動可能にプレートの両側近傍の固定レールに取り付けられ、該第一支持部は、プレートの一端の底部に取り付けられ、複数の貫通孔と、複数のボルトと、連結レールをと備え、これらの貫通孔はそれぞれ、プレートに嵌め込まれた固定ブロックの固定穴と対応するように、第一支持部に間隔をおいて形成され、これらのボルトはそれぞれ、貫通孔を通過して、固定レール上の固定ブロックの固定穴に螺合され、これにより、該第一支持部がプレート上の固定ブロックに結合されることによって、該第一支持部をプレートに組み合わせ、該連結レールは、連結穴を有すると共に、プレートの固定レール及び取付レールの一端近傍に位置するように、第一支持部の内面に横方向に設置され、該第二支持部は、プレートの他端の底部に取り付けられ、複数の貫通孔と、複数のボルトと、連結レールとを備え、これらの貫通孔はそれぞれ、プレートに嵌め込まれた固定ブロックの固定穴と対応するように、第二支持部に間隔をおいて形成され、これらのボルトはそれぞれ、貫通孔を通過して固定ブロック上の固定穴に螺合され、これにより、該第二支持部がプレート上の固定ブロックに結合されることによって、該第二支持部をプレートに組み合わせ、該連結レールは、連結穴を有すると共に、プレートの固定レール及び取付レールの他端近傍に位置するように、第二支持部の内面に横方向に設置されると共に、着脱可能に前記レールボードに取り付けられる止め部材と、
前記レールボードに取り付けられ、少なくとも２つの吸着セットを有し、その内、該吸着セットは、ケース及び少なくとも１つの磁性ブロックを備え、該ケースは、支持部の連結レールに嵌め込まれ、該支持部の連結穴と対応する箇所に結合穴が形成され、該連結穴を通過して結合穴に螺合されるボルトを有し、これにより、該ケースをしっかりと該支持部の連結レールにはめ込み、該磁性ブロックは、ケースの外面に取り付けられる吸着部材と、を有することを特徴とする吸着可能なソケットホルダー。
【請求項７】
前記第一支持部は、側板及び持ち板を備え、該側板は、該第一支持部の外側に縦方向に設けられ、掛止ブロックがプレートから脱出しないようにするために、プレートにおける掛止レール及び固定レールの一端開口がカバーされ、該取っ手部は、該側板の外面に横方向に延設され、
前記第二支持部は、側板及び取っ手部を備え、該側板は、第二支持部の外端に縦方向に設けられ、掛止ブロックがプレートから脱落しないようにするために、プレートの掛止レール及び固定レールの他端開口がカバーされ、該取っ手部は、側板の外面に横方向に延設されることを特徴とする請求項６に記載の吸着可能なソケットホルダー。
【請求項８】
前記掛止ブロックは、皿部及び掛止柱体を備え、その内、該皿部は、円盤状を呈し、回転可能または摺動可能に掛止レールに嵌め込まれ、該掛止柱体は、中空の長方体であり、一側の壁に形成される２つの長穴と、該２つの長穴の間に設けられる弾性部と、ソケットの内周面と当接するために、該弾性部の外面に凸設される凸部を備えることを特徴とする請求項７に記載の吸着可能なソケットホルダー。
【発明の詳細な説明】
【技術分野】
【０００１】
本発明は、特に磁性物を取り付けてツールキャビネットの壁に吸着することができる吸着可能なソケットホルダーに関するものである。
【背景技術】
【０００２】
従来の吸着可能なソケットホルダーは、ボード及び複数の掛止ブロックを有し、このボードの上面に間隔をおいて複数のレールが配列され、これらの掛止ブロックがそれぞれ摺動可能に掛止ブロックのレールに取り付けられ、使用する時には、サイズの異なるソケットをそれぞれ掛止ブロックに嵌め込めば、展示したり収納したりすることができる。
【先行技術文献】
【特許文献】
【０００３】
【特許文献１】台湾特許公開公報２０１１２７５７１号
【発明の概要】
【発明が解決しようとする課題】
【０００４】
しかしながら、従来の吸着可能なソケットホルダーは、複数のソケットを収納することはできるが、ツールキャビネットの壁に付くことができず、ツールキャビネットに置くことが必要であるので、空間を占めると共に、使用上にも不便であった。
【課題を解決するための手段】
【０００５】
本発明に係る吸着可能なソケットホルダーは、レールボードと、止め部材と、吸着部材とを有し、
その内、該レールボードは、プレートと、それぞれ間隔をおいて該プレートの上面に設けられる複数の掛止レールと、摺動可能に該掛止レールに嵌め込まれる複数の掛けブロックと、該プレートの底面に設けられ、長手方向に沿って貫通溝が形成され、両端にそれぞれ該貫通溝と連通する開口が形成され、少なくとも１つの取付レールと、該取付レールの両側及びプレートの底面に設けられ、長手方向に沿って貫通溝が形成され、両端にそれぞれ該貫通溝と連通する開口が形成される複数の固定レールとを備えるものであり、
該止め部材は、着脱可能に前記レールボードに取り付けられると共に、前記取付レールの開口及び固定レールの開口に詰め込まれる複数のストッパーとを含むものであり、
該吸着部材は、前記レールボードに取り付けられると共に、少なくとも１つの磁性部材及び少なくとも２つの位置決め部材を備え、その内、該磁性部材は、摺動可能に前記取付レールに嵌め込まれ、該取付レールの底面と接触しながら摺動可能に該取付レールに嵌め込まれるフレームと、該フレームの底部の相対する両側にぞれぞれ上方へ延設される側壁と、該フレームの底部の他方の相対する両側にそれぞれ長手方向に沿って延設される翼部と、該フレームに側壁と翼部の間に設置される少なくとも１つの磁性ブロックとを備え、また、該少なくとも２つの位置決め部材は、摺動可能に該取付レールに嵌め込まれ、該磁性部材と当接し、該取付レールの両端の開口に嵌め込まれたストッパーと当接するため、磁性部材を取付レールに位置決め、さらに、該各位置決め部材における底部は、前記取付レールの底面と接触すると共に、一端が磁性部材の磁性ブロック及び側壁と当接し、底面に両端を貫通する凹部が形成され、該凹部が磁性部材の翼部に嵌合されるものである。
【０００６】
かかる吸着可能なソケットホルダーにおいて、前記取付レールにおける、上面に貫通溝と連通するスリットが形成され、該スリットの幅（Ｍ）は該取付レールの幅（Ｗ）よりも狭く、
前記磁性部材の側壁が前記取付レールのスリットに嵌合されることが好ましい。
【０００７】
かかる吸着可能なソケットホルダーにおいて、前記位置決め部材の凹部の幅（Ｇ）が、磁性部材のフレームの翼部の幅（Ｅ）より広いことが好ましい。
【０００８】
かかる吸着可能なソケットホルダーにおいて、前記位置決め部材の上面に凸部が設けられ、該凸部は、前記取付レールのスリットに挿し込まれ、該凸部の幅（Ｐ）は、該スリットの幅（Ｍ）より狭いことが好ましい。
【０００９】
かかる吸着可能なソケットホルダーにおいて、前記位置決めブロックは、皿部及び掛止柱体を備え、その内、該皿部は円盤状を呈し、回転可能または摺動可能に掛止レールに嵌め込まれ、該掛止柱体は、中空の長方体であり、壁に形成される２つの長穴と、該２つの長穴の間に設けられる弾性部と、ソケットの内周面と当接するために、該弾性部の内側に凸設される凸部を備えることが好ましい。
【００１０】
一方、本発明に係る吸着可能なソケットホルダーは、以下の構成を有してもよい。この吸着可能なソケットホルダーは、レールボードと、止め部材と、吸着部材と、を有し、
その内、該レールボードは、プレートと、それぞれ間隔をおいて該プレートの上面に設けられる複数の掛止レールと、摺動可能に該掛止レールに嵌め込まれる複数の掛止ブロックと、該プレートの底面に設けられる複数の固定レールとを備えるものであり、
該止め部材は、複数の固定ブロックと、第一支持部と、第二支持部とを備え、その内、該固定ブロックは、固定穴を有すると共に、摺動可能にプレートの両側近傍の固定レールに取り付けられ、該第一支持部は、プレートの一端の底部に取り付けられ、複数の貫通孔と、複数のボルトと、連結レールをと備え、これらの貫通孔はそれぞれ、プレートに嵌め込まれた固定ブロックの固定穴と対応するように、第一支持部に間隔をおいて形成され、これらのボルトはそれぞれ、貫通孔を通過して、固定レール上の固定ブロックの固定穴に螺合され、これにより、該第一支持部がプレート上の固定ブロックに結合されることによって、該第一支持部をプレートに組み合わせ、該連結レールは、連結穴を有すると共に、プレートの固定レール及び取付レールの一端近傍に位置するように、第一支持部の内面に横方向に設置され、該第二支持部は、プレートの他端の底部に取り付けられ、複数の貫通孔と、複数のボルトと、連結レールとを備え、これらの貫通孔はそれぞれ、プレートに嵌め込まれた固定ブロックの固定穴と対応するように、第二支持部に間隔をおいて形成され、これらのボルトはそれぞれ、貫通孔を通過して固定ブロック上の固定穴に螺合され、これにより、該第二支持部がプレート上の固定ブロックに結合されることによって、該第二支持部をプレートに組み合わせ、該連結レールは、連結穴を有すると共に、プレートの固定レール及び取付レールの他端近傍に位置するように、第二支持部の内面に横方向に設置されると共に、着脱可能に前記レールボードに取り付けられるものであり、
該吸着部材は、前記レールボードに取り付けられ、少なくとも２つの吸着セットを有し、その内、該吸着セットは、ケース及び少なくとも１つの磁性ブロックを備え、該ケースは、支持部の連結レールに嵌め込まれ、該支持部の連結穴と対応する箇所に結合穴が形成され、該連結穴を通過して結合穴に螺合されるボルトを有し、これにより、該ケースをしっかりと該支持部の連結レールにはめ込み、該磁性ブロックは、ケースの外面に取り付けられるものである。
【００１１】
かかる吸着可能なソケットホルダーにおいて、前記第一支持部は、側板及び持ち板を備え、該側板は、該第一支持部の外側に縦方向に設けられ、掛止ブロックがプレートから脱出しないようにするために、プレートにおける掛止レール及び固定レールの一端開口がカバーされ、該取っ手部は、該側板の外面に横方向に延設され、
前記第二支持部は、側板及び取っ手部を備え、該側板は、第二支持部の外端に縦方向に設けられ、掛止ブロックがプレートから脱落しないようにするために、プレートの掛止レール及び固定レールの他端開口がカバーされ、該取っ手部は、側板の外面に横方向に延設されることが好ましい。
【００１２】
かかる吸着可能なソケットホルダーにおいて、前記掛止ブロックは、皿部及び掛止柱体を備え、その内、該皿部は、円盤状を呈し、回転可能または摺動可能に掛止レールに嵌め込まれ、該掛止柱体は、中空の長方体であり、一側の壁に形成される２つの長穴と、該２つの長穴の間に設けられる弾性部と、ソケットの内周面と当接するために、該弾性部の外面に凸設される凸部を備えることが好ましい。
【発明の効果】
【００１３】
上述したように、本発明に係る吸着可能なソケットホルダーは、ソケットを掛止ブロックに嵌め込んで収納することができると共に、吸着部材の磁性物により吸着可能なソケットホルダーをツールキャビネット５０の壁５１に吸着させて掛止することにより、ソケットの収納や展示をすることができる。また、本発明では、吸着可能なソケットホルダーをツールキャビネット５０に置く必要がないので、スペースを節約することができる。
【図面の簡単な説明】
【００１４】
【図１】本発明の吸着可能なソケットホルダーに係る第一実施例の上面視の斜視図である。
【図２】本発明の吸着可能なソケットホルダーに係る第一実施例の底面視の斜視図である。
【図３】本発明の吸着可能なソケットホルダーに係る第一実施例の底面視の部分分解斜視図である。
【図４】本発明の吸着可能なソケットホルダーに係る第一実施例の底面視の部分分解拡大斜視図である。
【図５】図２の５−５の拡大断面図である。
【図６】図２の６−６の拡大断面図である。
【図７】本発明の吸着可能なソケットホルダーに係る第一実施例において、ツールキャビネットの壁に吸着させる前の状態を示す斜視図である。
【図８】本発明の吸着可能なソケットホルダーに係る第二実施例の上面視の斜視図である。
【図９】本発明の吸着可能なソケットホルダーに係る第二実施例の底面視の斜視図である。
【図１０】本発明の吸着可能なソケットホルダーに係る第二実施例の底面視の部分分解斜視図である。
【図１１】本発明の吸着可能なソケットホルダーに係る第二実施例の底面視の部分分解拡大斜視図である。
【図１２】図９の１２−１２の拡大断面図である。
【図１３】図９の１３−１３の拡大断面図である。
【図１４】本発明の吸着可能なソケットホルダーに係る第二実施例において、使用者が手で吸着可能なソケットホルダーを持っている状態を示す斜視図である。
【図１５】本発明の吸着可能なソケットホルダーに係る第二実施例において、ツールキャビネットの壁に吸着させる前の状態を示す斜視図である。
【図１６】本発明の吸着可能なソケットホルダーに係る第二実施例及び第二実施例における掛止けブロックが掛止けレールに対して回転する状態を示す斜視図である。
【発明を実施するための形態】
【００１５】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。
【００１６】
図１乃至図３に示すように、本発明に係る吸着可能なソケットホルダーの第一実施例は、レールボード１０と、止め部材２０と、吸着部材３０とを有する。
【００１７】
前記レールボード１０は、アルミを押し出してなる長形のボードであり、プレート１１と、複数の掛止レール１２と、複数の掛止ブロック１３と、少なくとも１つの取付レール１４と、複数の固定レール１５を備え、そのうちプレート１１は、長形を呈し、該複数の掛止レール１２は、プレート１１の長さと一致するように、それぞれ間隔をおいてプレート１１の上面に設けられ、該複数の掛止ブロック１３はそれぞれ、摺動可能にレールボード１０の掛止レール１２に嵌め込まれ、使用する時にはソケットを掛止けブロック１３に嵌め込めば、ソケットをレールボード１０に収納することができる。
【００１８】
また、図１６に示すように、前記掛止けブロック１３は、皿部１３１及び掛止柱体１３２を備え、そのうち皿部１３１は、円盤状を呈し、回転可能または摺動可能に掛止レール１２に嵌め込まれ、該掛止柱体１３２は、中空の長方体であり、該皿部１３１の上面に設けられ、該掛止柱体１３２の相対する両側の壁にぞれぞれ形成される２つの長穴１３３と、その２つの長穴１３３の間に設けられる弾性部１３４と、該弾性部１３４の外面に凸設される凸部１３５を備え、ソケットを装着する時には、該凸部１３５をソケットの内周面と当接させれば位置決めることができる。
【００１９】
前記取付レール１４は、プレート１１の底面に設けられ、長手方向に沿って貫通溝を有するレールであり、両端にそれぞれ該貫通溝と連通する開口１４１が形成されると共に、上面に該貫通溝と連通するスリット１４２が形成され、該スリット１４２の幅（Ｍ）は、該取付レール１４の幅（Ｗ）より狭くし（Ｍ＜Ｗ）（図５の如く）、一方、前記固定レール１５は、取付レール１４の両側近傍及びプレート１１の底面に設けられ、長手方向に沿って貫通溝を有するレールであり、両端にそれぞれ該貫通溝と連通する開口１５１が形成される。
【００２０】
前記止め部材２０は、着脱可能にレールボード１０に取り付けられ、複数のストッパー２１を備え、これらのストッパー２１は、取付レール１４の両端及び固定レール１５の両端を封止するために、前記取付レール１４の開口１４１及び固定レール１５の開口１５１に嵌め込まれる。
【００２１】
図３及び図４に示すように、前記吸着部材３０は、レールボード１０に取り付けられ、少なくとも１つの磁性部材３１及び少なくとも２つの位置決め部材３２を有し、そのうち磁性部材３１は、金属からなり、摺動可能に前記取付レール１４に嵌め込まれ、フレーム３１１及び少なくとも１つの磁性ブロック３１２を備え、該フレーム３１１は、取付レール１４の底面と接触するように、摺動可能に取付レール１４に嵌め込まれ、該フレーム３１１における、底部の相対する両側にぞれぞれスリット１４２に向かって側壁３１３が延設され、即ち、側壁３１３が該フレーム３１１の底部から図面の上方へ延出すると共に、底部の他の相対する両側にそれぞれ長手方向に沿って翼部３１４が延設され、さらに、図６に示すように、該磁性ブロック３１２は、フレーム３１１の側壁３１３と翼部３１４の間に設置される。
【００２２】
図４乃至図６に示すように、本発明では、前記少なくとも２つの位置決め部材３２が、摺動可能に前記取付レール１４に嵌め込まれ、且つ、前記磁性部材３１と当接すると共に、該取付レール１４の両端の開口１４１に嵌め込まれたストパー２１と当接する構成であることから、磁性部材３１を取付レール１４に位置決めることができる。また、前記位置決め部材３２における底部が取付レール１４の底面と接触すると共に、一端が磁性部材３１の磁性ブロック３１２及び側壁３１３と当接し、さらに、該位置決め部材３２の底面に両端を貫通する凹部３２１が形成され、該凹部３２１は、幅（Ｇ）を翼部３１４の幅（Ｅ）より広くすることにより（Ｇ＞Ｅ）、磁性部材３１の翼部３１４に嵌合可能とする。尚、本発明における第一実施例においては、磁性部材３１の翼部３１４を位置決め部材３２の凹部３２１に嵌め込むことによって、磁性部材３１を取付レール１４に位置決め可能とする。
【００２３】
前記位置決め部材３２の上面に凸部３２２が設けられ、該凸部３２２は、取付レール１４のスリット１４２に挿し込まれる。この時、該凸部３２２の幅（Ｐ）はスリット１４２の幅（Ｍ）より狭くする（Ｐ＜Ｍ）。
【００２４】
また、本発明の第一実施例においては、吸着部材３０が２つの磁性部材３１及び３つの位置決め部材３２を備え、これらの磁性部材３１及び位置決め部材３２がレールボード１０の取付レール１４に嵌め込まれる。つまり、この３つの位置決め部材３２を、止め部材２０の２つのストッパー２１と２つの磁性部材３１との間に設置することにより、磁性部材３１を取付レール１４に位置決めることができる。
【００２５】
図１、図２及び図７に示すように、本発明に係る吸着可能なソケットホルダーの第一実施例を使用する時は、ソケットを掛止ブロック１３に嵌め込んで収納し、使用者が磁性部材３１上の磁性ブロック３１２をツールキャビネット５０の壁５１に吸着させて、吸着可能なソケットホルダーをツールキャビネット５０の壁５１に掛止すれば、ソケットを収納したり展示したりすることができる。この構成によれば、本発明の吸着可能なソケットホルダーをツールキャビネット５０に放置するスペースが不要となるので、スペースを節約することができる。
【００２６】
また、図８乃至図１０に示すように、本発明に係る吸着可能なソケットホルダーの第二実施例は、殆ど第一実施例と同一であるが、止め部材２０Ａ及び吸着部材３０Ａが異なる。尚、その構成によると、第二実施例は、第一実施例と同一のプレート１１Ａと、掛止レール１２Ａと、掛止ブロック１３Ａと、取付レール１４Ａと、固定レール１５Ａとを有し、その内、該掛止レール１２Ａは、プレート１１Ａの上面に設けられ、該掛止ブロック１３Ａは、摺動可能に掛止レール１２Ａに嵌め込まれ、該取付レール１４Ａは、プレート１１Ａの底面に設けられ、該固定レール１５Ａは、取付レール１４Ａの近傍及びプレート１１Ａの底面に設けられる。
【００２７】
図１６に示すように、前記掛止けブロック１３Ａは、皿部１３１Ａ及び掛止柱体１３２Ａを備え、該皿部１３１Ａは、円盤状を呈し、回転可能または摺動可能に掛止レール１２Ａに嵌め込まれ、そのうち掛止柱体１３２Ａは、中空の長方体であり、皿部１３１Ａの上面に設けられ、該掛止柱体１３２Ａの相対する両側の壁に形成される２つの長穴１３３Ａと、その２つの長穴１３３Ａの間に設けられる弾性部１３４Ａと、該弾性部１３４Ａの外面に凸設される凸部１３５Ａとを備えることから、ソケットを装着する時、該凸部１３５Ａがソケットの内周面と当接することによりソケットを確実に位置決めることができる。
【００２８】
第二実施例における止め部材２０Ａは、着脱可能にレールボード１０Ａに取り付けられ、複数の固定ブロック２２Ａと、第一支持部２３Ａと、第二支持部２４Ａを備え、そのうち固定ブロック２２Ａは、摺動可能にプレート１１Ａの両側近傍の固定レール１５Ａに取り付けられ、長方体を呈してもよく、中心に固定穴２２１Ａが形成される。
【００２９】
図１１乃至図１３に示すように、前記第一支持部２３Ａは、アルミを押し出してなり、プレート１１Ａの一端の底部に取り付けられ、複数の貫通孔２３１Ａと、複数のボルト２３２Ａと、側板２３４Ａと、取っ手部２３５Ａと、連結レール２３６Ａとを備え、該複数の貫通孔２３１Ａはそれぞれ、プレート１１Ａに嵌め込まれた固定ブロック２２Ａの固定穴２２１Ａと対応するように、第一支持部２３Ａに間隔をおいて形成され、該複数のボルト２３２Ａはそれぞれ、貫通孔２３１Ａを通過して、固定レール１５Ａ上の固定ブロック２２Ａの固定穴２２１Ａに螺合される。上述の構造によれば、第一支持部２３Ａがプレート１１Ａ上の固定ブロック２２Ａに結合されることから、該第一支持部２３Ａをプレート１１Ａにしっかりと取り付けることができる。
【００３０】
また、前記側板２３４Ａは、第一支持部２３Ａの外側に縦方向に設けられ、それによりプレート１１Ａにおける掛止レール１２Ａ及び固定レール１５Ａの一端開口をカバーするので、掛止ブロック１３Ａのプレート１１Ａからの脱落を防ぐことができる。一方、前記取っ手部２３５Ａは、側板２３４Ａの外面に横方向に延設され、使用する時は、使用者が取っ手部２３５Ａを持ちながら、吸着可能なソケットホルダーを使用することができる。さらに、前記連結レール２３６Ａは、プレート１１Ａの固定レール１５Ａ及び取付レール１４Ａの一端近傍（図１３の如く）に位置するように、第一支持部２３Ａの内面に横方向に延設され、表面を貫通する連結穴２３７Ａを備える。
【００３１】
前記第二支持部２４Ａは、アルミを押し出してなり、プレート１１Ａの他端の底部に取り付けられ、複数の貫通孔２４１Ａと、複数のボルト２４２Ａと、側板２４４Ａと、取っ手部２４５Ａと、連結レール２４６Ａとを備え、そのうち、複数の貫通孔２４１Ａはそれぞれ、プレート１１Ａに嵌め込まれた固定ブロック２２Ａの固定穴２２１Ａと対応するように、第二支持部２４Ａに間隔をおいて形成され、該複数のボルト２４２Ａはそれぞれ、貫通孔２４１Ａを通過して固定ブロック２２Ａ上の固定穴２２１Ａに螺合される。上述の構造によれば、第二支持部２４Ａがプレート１１Ａ上の固定ブロック２２Ａに結合されることから、該第二支持部２４Ａをプレート１１Ａにしっかりと取り付けることができる。
【００３２】
また、前記側板２４４Ａは、第二支持部２４Ａの外端に縦方向に設けられ、プレート１１Ａの掛止レール１２Ａ及び固定レール１５Ａにおける他端の開口をカバーすることから、掛止けブロック１３Ａのプレート１１Ａからの脱落を防ぐことができる。一方、前記取っ手部２４５Ａは、側板２４４Ａの外面に横方向に延設され、使用する時は、使用者が取っ手部２４５Ａを持ちながら、吸着可能なソケットホルダーを使用することができる。さらに、前記連結レール２４６Ａは、プレート１１Ａの固定レール１５Ａ及び取付レール１４Ａの他端近傍（図１３の如く）に位置するように、第二支持部２４Ａの内面に横方向に延設され、表面を貫通する連結穴２４７Ａを備える。
【００３３】
上述の構造によれば、第一支持部２３Ａ及び第二支持部２４Ａがプレート１１Ａの相対する両端に取り付けられることから、レールボード１０Ａの構造を強化できるので、丈夫な吸着可能なソケットホルダーを提供することができる。
【００３４】
前記吸着部材３０Ａは、レールボード１０に取り付けられ、少なくとも２つの吸着セットを有し、その内、吸着セットは、ケース３３Ａ及び少なくとも１つの磁性ブロック３４Ａを備え、該ケース３３Ａは、金属からなり、支持部２３Ａ、２４Ａの連結レール２３６Ａ、２４６Ａに嵌め込まれ、支持部２３Ａ、２４Ａの連結穴２３７Ａ、２４７Ａと対応する箇所に結合穴３３１Ａが形成され、ボルト３３２Ａが該連結穴２３７Ａ、２４７Ａを通過して結合穴３３１Ａに螺合される。この構成によれば、ケース３３Ａをしっかりと支持部２３Ａ、２４Ａの連結レール２３６Ａ、２４６Ａに嵌め込むことができる。
【００３５】
前記磁性ブロック３４Ａは、磁性を有し、ケース３３Ａの外面に取り付けられる。尚、本実施例においては、２つの磁性ブロック３４Ａを有し、これらの磁性ブロック３４Ａはそれぞれ、ケース３３Ａの外面及び両端に取り付けられる。
【００３６】
上述したように、本発明に係る吸着可能なソケットホルダーの第二実施例によれば、ソケットがレールボード１０Ａの掛けブロック１３Ａに環設して収納することができると共に、図１５に示すように、磁性ブロック３４Ａをツールキャビネット５０の壁５１に吸着させて、その磁石の吸着力で吸着可能なソケットホルダーをツールキャビネット５０の壁５１に掛止することにより、ソケットを収納したり展示したりすることができる。尚、この構成によれば、吸着可能なソケットホルダーをツールキャビネット５０に置く必要がないので、空間を節約することができる。
【００３７】
さらに、図１３に示すように、本発明の吸着可能なソケットホルダーでは、止め部材２０Ａ及び吸着部材３０Ａがプレート１１Ａの底部に取り付けられることから、ソケットホルダーをツールキャビネット５０の壁５１に吸着する時に、固定レール１５Ａ及び取付レール１４Ａによりツールキャビネット５０の壁５１に傷をつけることを防止できる。尚、図１４に示すように、第一支持部２３Ａの取っ手部２３５Ａ及び第二支持部２４Ａの取っ手部２４５Ａがレールボード１０Ａのプレート１１Ａの反対側から外側へ延出していることから、使用者が取っ手部２３５Ａ、２４５Ａを持つ時、吸着可能なソケットホルダーを簡単に持ち上げることができるので、使用上、非常に便利である。
【符号の説明】
【００３８】
１０、１０Ａ            レールボード
１１、１１Ａ            プレート
１２、１２Ａ            掛止レール
１３、１３Ａ            掛止ブロック
１３１、１３１Ａ        皿部
１３２、１３２Ａ        掛止柱体
１３３、１３３Ａ        長穴
１３４、１３４Ａ        弾性部
１３５、１３５Ａ        凸部
１４、１４Ａ            取付レール
１４１                  開口
１４２                  スリット
１５、１５Ａ            固定レール
１５１                  開口
２０、２０Ａ            止め部材
２１                    ストッパー
２２Ａ                  固定ブロック
２２１Ａ                固定穴
２３Ａ                  第一支持部
２３１Ａ                貫通孔
２３２Ａ                ボルト
２３４Ａ                側板
２３５Ａ                取っ手部
２３６Ａ                連結レール
２３７Ａ                連結穴
２４Ａ                  第二支持部
２４１Ａ                貫通孔
２４２Ａ                ボルト
２４４Ａ                側板
２４５Ａ                取っ手部
２４６Ａ                連結レール
２４７Ａ                連結穴
３０、３０Ａ            吸着部材
３１                    磁性部材
３１１                  フレーム
３１２                  磁性ブロック
３１３                  側壁
３１４                  翼部
３２                    位置決め部材
３２１                  凹部
３２２                  凸部
３３Ａ                  ケース
３３１Ａ                結合穴
３３２Ａ                ボルト
３４Ａ                  磁性ブロック
５０                    ツールキャビネット
５１                    壁
Ｅ、Ｍ、Ｗ、Ｐ、Ｍ、Ｇ  幅
【図１】
2015182150.tif 000003
【図２】
2015182150.tif 000004
【図３】
2015182150.tif 000005
【図４】
2015182150.tif 000006
【図５】
2015182150.tif 000007
【図６】
2015182150.tif 000008
【図７】
2015182150.tif 000009
【図８】
2015182150.tif 000010
【図９】
2015182150.tif 000011
【図１０】
2015182150.tif 000012
【図１１】
2015182150.tif 000013
【図１２】
2015182150.tif 000014
【図１３】
2015182150.tif 000015
【図１４】
2015182150.tif 000016
【図１５】
2015182150.tif 000017
【図１６】
2015182150.tif 000018
【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
プレートと、それぞれ間隔をおいて該プレートの上面に設けられる複数の掛止レールと、摺動可能に該掛止レールに嵌め込まれる複数の掛けブロックと、該プレートの底面に設けられ、長手方向に沿って貫通溝が形成され、両端にそれぞれ該貫通溝と連通する開口が形成されている、少なくとも１つの取付レールと、該取付レールの両側及びプレートの底面に設けられ、長手方向に沿って貫通溝が形成され、両端にそれぞれ該貫通溝と連通する開口が形成される複数の固定レールとを備えるレールボードと、
着脱可能に前記レールボードに取り付けられると共に、前記取付レールの開口及び固定レールの開口に詰め込まれる複数のストッパーとを含む止め部材と、
前記レールボードに取り付けられると共に、少なくとも１つの磁性部材及び少なくとも２つの位置決め部材を備え、その内、該磁性部材は、摺動可能に前記取付レールに嵌め込まれ、該取付レールの底面と接触しながら摺動可能に該取付レールに嵌め込まれるフレームと、該フレームの底部の相対する両側にぞれぞれ上方へ延設される側壁と、該フレームの底部の他方の相対する両側にそれぞれ長手方向に沿って延設される翼部と、該フレームに側壁と翼部の間に設置される少なくとも１つの磁性ブロックとを備え、また、該少なくとも２つの位置決め部材は、摺動可能に該取付レールに嵌め込まれ、該磁性部材と当接し、該取付レールの両端の開口に嵌め込まれたストッパーと当接するため、磁性部材を取付レールに位置決め、さらに、該各位置決め部材における底部は、前記取付レールの底面と接触すると共に、一端が磁性部材の磁性ブロック及び側壁と当接し、底面に両端を貫通する凹部が形成され、該凹部が磁性部材の翼部に嵌合される吸着部材と、を有することを特徴とする吸着可能なソケットホルダー。
【請求項２】
前記取付レールにおける、上面に貫通溝と連通するスリットが形成され、該スリットの幅（Ｍ）は該取付レールの幅（Ｗ）よりも狭く、
前記磁性部材の側壁が前記取付レールのスリットに嵌合されることを特徴とする請求項１に記載の吸着可能なソケットホルダー。
【請求項３】
前記位置決め部材の凹部の幅（Ｇ）が、磁性部材のフレームの翼部の幅（Ｅ）より広いことを特徴とする請求項２に記載の吸着可能なソケットホルダー。
【請求項４】
前記位置決め部材の上面に凸部が設けられ、該凸部は、前記取付レールのスリットに挿し込まれ、該凸部の幅（Ｐ）は、該スリットの幅（Ｍ）より狭いことを特徴とする請求項３に記載の吸着可能なソケットホルダー。
【請求項５】
前記位置決めブロックは、皿部及び掛止柱体を備え、その内、該皿部は円盤状を呈し、回転可能または摺動可能に掛止レールに嵌め込まれ、該掛止柱体は、中空の長方体であり、壁に形成される２つの長穴と、該２つの長穴の間に設けられる弾性部と、ソケットの内周面と当接するために、該弾性部の内側に凸設される凸部を備えることを特徴とする請求項４に記載の吸着可能なソケットホルダー。
【請求項６】
プレートと、それぞれ間隔をおいて該プレートの上面に設けられる複数の掛止レールと、摺動可能に該掛止レールに嵌め込まれる複数の掛止ブロックと、該プレートの底面に設けられる複数の固定レールとを備えるレールボードと、
複数の固定ブロックと、第一支持部と、第二支持部とを備え、その内、該固定ブロックは、固定穴を有すると共に、摺動可能にプレートの両側近傍の固定レールに取り付けられ、該第一支持部は、プレートの一端の底部に取り付けられ、複数の貫通孔と、複数のボルトと、連結レールをと備え、これらの貫通孔はそれぞれ、プレートに嵌め込まれた固定ブロックの固定穴と対応するように、第一支持部に間隔をおいて形成され、これらのボルトはそれぞれ、貫通孔を通過して、固定レール上の固定ブロックの固定穴に螺合され、これにより、該第一支持部がプレート上の固定ブロックに結合されることによって、該第一支持部をプレートに組み合わせ、該連結レールは、連結穴を有すると共に、プレートの固定レール及び取付レールの一端近傍に位置するように、第一支持部の内面に横方向に設置され、該第二支持部は、プレートの他端の底部に取り付けられ、複数の貫通孔と、複数のボルトと、連結レールとを備え、これらの貫通孔はそれぞれ、プレートに嵌め込まれた固定ブロックの固定穴と対応するように、第二支持部に間隔をおいて形成され、これらのボルトはそれぞれ、貫通孔を通過して固定ブロック上の固定穴に螺合され、これにより、該第二支持部がプレート上の固定ブロックに結合されることによって、該第二支持部をプレートに組み合わせ、該連結レールは、連結穴を有すると共に、プレートの固定レール及び取付レールの他端近傍に位置するように、第二支持部の内面に横方向に設置されると共に、着脱可能に前記レールボードに取り付けられる止め部材と、
前記レールボードに取り付けられ、少なくとも２つの吸着セットを有し、その内、該吸着セットは、ケース及び少なくとも１つの磁性ブロックを備え、該ケースは、支持部の連結レールに嵌め込まれ、該支持部の連結穴と対応する箇所に結合穴が形成され、該連結穴を通過して結合穴に螺合されるボルトを有し、これにより、該ケースをしっかりと該支持部の連結レールにはめ込み、該磁性ブロックは、ケースの外面に取り付けられる吸着部材と、を有することを特徴とする吸着可能なソケットホルダー。
【請求項７】
前記第一支持部は、側板及び持ち板を備え、該側板は、該第一支持部の外側に縦方向に設けられ、掛止ブロックがプレートから脱出しないようにするために、プレートにおける掛止レール及び固定レールの一端開口がカバーされ、該取っ手部は、該側板の外面に横方向に延設され、
前記第二支持部は、側板及び取っ手部を備え、該側板は、第二支持部の外端に縦方向に設けられ、掛止ブロックがプレートから脱落しないようにするために、プレートの掛止レール及び固定レールの他端開口がカバーされ、該取っ手部は、側板の外面に横方向に延設されることを特徴とする請求項６に記載の吸着可能なソケットホルダー。
【請求項８】
前記掛止ブロックは、皿部及び掛止柱体を備え、その内、該皿部は、円盤状を呈し、回転可能または摺動可能に掛止レールに嵌め込まれ、該掛止柱体は、中空の長方体であり、一側の壁に形成される２つの長穴と、該２つの長穴の間に設けられる弾性部と、ソケットの内周面と当接するために、該弾性部の外面に凸設される凸部を備えることを特徴とする請求項７に記載の吸着可能なソケットホルダー。